(57)【要約】【課題】山留め壁の内側に井桁状に架設される複数の切梁どうしを同一レベルで接合できる切梁用交差継手を提供する。【解決手段】井桁状に架設される切梁の互いに交差する位置に切梁交差用継手を設置する。切梁交差用継手は、同一レベルで交差する一対の接合用切梁５と接合用切梁６から構成する。接合用切梁５の側部に接合用切梁５の軸直角方向に貫通する開口部７を形成する。開口部７を接合用切梁６が貫通し、接合用切梁６の上端部に開口部７の上枠部7aが篏合する篏合凹溝部８を設ける。開口部７の内法幅Ｌは、接合用切梁６の梁幅より広く形成する。篏合凹溝部８は、接合用切梁５の梁幅より広く形成する。【選択図】図１
2019173335.tif 000002
【特許請求の範囲】
【請求項１】
切梁が互いに交差する位置に設置される切梁用交差継手であって、同一レベルで交差する一対の接合用切梁からなり、前記接合用切梁の一方の側面に接合用切梁の軸直角方向に貫通する開口部が設けられ、当該開口部を他方の接合用切梁が貫通し、当該他方の接合用切梁の上下面に前記開口部の上下枠部が遊篏する凹溝部が設けられ、かつ前記一方の接合用切梁の上面と前記他方の接合用切梁の上面は面一に形成されていることを特徴とする切梁用交差継手。
【請求項２】
請求項１記載の切梁用交差継手において、前記開口部の内法幅は、前記他方の接合用切梁の梁幅より広く形成され、かつ前記凹溝部の内法幅は、前記一方の接合用切梁の梁幅より広く形成されていることを特徴とする切梁用交差継手。
【請求項３】
請求項１または２記載の切梁用交差継手において、前記一方および他方の接合用切梁は、当該接合用切梁の梁軸芯を通る水平面を境に前記接合用切梁の上側部分または下側部分をそれぞれ形成し、かつ前記接合用切梁どうしが交差する位置に前記接合用切梁の梁幅より広い凹溝部を有する一対の継手用ハーフ切梁から形成されていることを特徴とする切梁用交差継手。
【発明の詳細な説明】
【技術分野】
【０００１】
本発明は、井桁状に架設される切梁の互いに交差する位置に設置される切梁用交差継手に関し、山留め壁の内側に井桁状に架設される切梁どうしを同一レベルで接合することができ、かつ根切りに先行して切梁に軸力を導入するプレロード工法の妨げにならないようにしたものである。
【背景技術】
【０００２】
基礎その他の地下構造物の構築に際しては、構築される地下構造物の規模に相当する広さおよび深さに地盤を掘り下げる工事(以下「根切り工事」)が行われる。
【０００３】
当該根切り工事では、例えば、図６参照に図示するように、根切りに先行して土砂の崩壊を防ぐために、山留め壁20とその内側に山留め支保工21が仮設され、山留め支保工21は腹起し22、切梁23および火打梁24などによって仮設され、腹起し22は山留め壁20の各壁面に沿って水平に設置される。
【０００４】
また、切梁23は腹起し22の内側に井桁状に架設され、各切梁23の端部は対向する腹起し22の側面に接合される。また、切梁23どうしの交差する位置では、切梁23を上下に立体的に交差させ、交差部ピース25によって結束する(図７参照)。
【０００５】
さらに、切梁23どうしが交差する位置の近くに、切梁23の座屈防止、および切梁23の自重を受ける支持杭(棚杭)26が設置される(図７参照)。
【０００６】
また特に、軟弱地盤などで、山留め壁20が大きく変形する恐れがあって、周辺地盤の沈下を防ぐ必要がある場合には、プレロード工法(油圧ジャッキにより予め切梁に軸力を導入する)により切梁23に軸力を導入して、掘削後の山留め壁20の変形を抑制することが行われる。
【先行技術文献】
【特許文献】
【０００７】
【特許文献１】実開平6-76444号公報
【特許文献２】特開2001-262560号公報
【特許文献３】特開平05-148837号公報
【発明の概要】
【発明が解決しようとする課題】
【０００８】
井桁状に架設される切梁23が交差する位置では、切梁23を上下に重ねて立体的に交差させるため、各切梁23の端部を受ける腹起し22も山留め壁20の壁面ごとに上下に高さを変えて設置する必要がある。
【０００９】
このため、山留め壁20の入り隅および出隅部で、隣接する腹起し22の端部どうしを接合するには、腹起し22の端部を上下に重ね、接合金物として隅部ピース27を用い(図８参照)、複数の接合ボルトによって接合し、また、火打ち梁24も上下に重ね、複数の接合ボルトによって互いに接合する必要があるため、特に接合ボルトの本数が嵩み、接合作業が非常に面倒であった(図８参照)。
【００１０】
さらに、次段階の根切り伴って発生することが見込まれる切梁23の軸力を、あらかじめ切梁23に導入する(プレロード工法)際に、交差する切梁23どうしが交差する位置で交差部ピース25によって結束されているため、プレロードの実施が非常に面倒であった。
【００１１】
なお、交差する切梁どうしを同一レベルで接合する切梁用交差継手に関する発明が、特許文献１(図１参照)と特許文献2,3(図２参照)に開示されている。
【００１２】
特に、特許文献１の切梁用交差継手は、側面中央に貫通穴(A)を有する直方体(10)の左右端が角錐台形の先すぼりに形成されている。
【００１３】
また、両端の角錐台形部分(20)には、端面から貫通穴(A)に向けて同一平面上で直交するように挿入穴(B)が設けられ、挿入穴(B)の先端は貫通穴Ａの側面(A1)で閉端面となっている。貫通穴(A)の大きさは、縦が切梁用Ｈ鋼の高さと同一で、横が前記Ｈ鋼の幅より少し大きめに設定されている。挿入穴(B)は、縦及び高さが前記Ｈ鋼と同一に設定されている。さらに、補強材としてリブ(40)が設けられている。
【００１４】
しかし、図からも明らかなように交差する切梁と継手との上端面に段差あるため、作業員が移動する際の障害となるだけでなく、切梁と切梁の上側に架設される覆工桁間にこの段差を見込んだ必要以上の空きを設ける必要があった。
【００１５】
一方、特許文献2,3に開示された切梁用交差継手は、交差する切梁の各端部を接合する継手部を一体とすることにより平面十字型に形成され、各切梁の端部は各継手部にボルト接合されているため、各方向の切梁にプレロード工法を実施できないか、或いは実施が非常に困難であった。
【００１６】
本発明は、以上の課題を解決するためになされたもので、腹起しの内側に井桁状に架設される切梁どうしを同一平面で交差させることができ、かつプレロード工法の適用も可能にした切梁用交差継手を提供することを目的とするものである。
【課題を解決するための手段】
【００１７】
本発明は、山留め壁の内側に井桁状に架設される切梁が、互いに交差する位置に設置される切梁用交差継手の発明であり、
同一レベルで交差する一対の接合用切梁より構成され、前記接合用切梁の一方の側面に当該接合用切梁の軸直角方向に貫通する開口部が設けられ、当該開口部を他方の接合用切梁が貫通し、当該他方の接合用切梁の上下面に前記開口部の上下枠部が遊篏する凹溝部がそれぞれ設けられ、かつ前記一方および他方の切梁用交差継手の上面が面一に形成されていることを特徴とするものである。
【００１８】
前記開口部の内法幅を前記他方の接合用切梁の梁幅より広く形成し、かつ前記凹溝部の溝幅を前記一方の接合用切梁の梁幅より広く形成することで、各接合用切梁は開口部の内法幅および凹溝部の溝幅の範囲で互いに拘束されることなく、水平梁軸方向および水平梁軸直角方向に相対変位することができ、これにより各接合用切梁を介して接合される各方向の切梁に対して、プレロード工法(油圧ジャッキにより予め切梁に軸力を導入する)によって軸力を導入することができる。また、切梁どうしを斜めに交差させることもできる。
【００１９】
さらに、凹溝部の深さと開口部の上枠部の高さ(成)を同等に形成することにより、接合用切梁の上端面を面一にすることができ、これにより切梁と当該切梁の上側に架設される覆工桁間に必要最小限の空き、空間、隙間を設けるだけで良い。また、切梁の上を移動する作業員の障害になることもない。
【００２０】
また、前記一方および他方の接合用切梁は、当該接合用切梁の軸芯を通る水平面を境に前記接合用切梁の上側部分または下側部分を形成し、かつ接合用切梁どうしが交差する位置に前記接合用切梁の梁幅より広い凹溝部を有する一対の継手用ハーフ切梁から形成することで、開口部を有する一方の接合用切梁と凹溝部を有する他方の接合用切梁を容易に製作することができる(図3,4参照)。
【００２１】
すなわち、一対の継手用ハーフ切梁を、双方の凹溝部を対向させて一体に添い合わせることにより、開口部を有する一方の接合用切梁を形成することができ(図3(a),(b)参照)、また、凹溝部を外側に向けて一体に添い合わせることにより、上下両側部に凹溝部を有する他方の接合用切梁を形成することができる(図4(a),(b)参照)。
【発明の効果】
【００２２】
本発明によれば、同一レベルで交差する接合用切梁の一方の側部に接合用切梁の軸直角方向に貫通する開口部が設けられ、当該開口部を前記接合用切梁の他方が貫通し、かつ当該他方の接合用切梁の上端部に前記開口部の上枠部が遊篏する凹溝部が設けられていることで、同一レベルで交差する接合用切梁の上端部を面一とすることができ、これにより切梁の上を移動する作業員の安全等を図ることができる。
【００２３】
また、前記開口部の内法幅を前記他方の接合用切梁の梁幅より広く形成し、かつ前記凹溝部の溝幅を前記一方の接合用切梁の梁幅より広く形成することで、各接合用切梁は開口部の内法幅および凹溝部の溝幅の範囲で互いに拘束されることなく、水平梁軸方向および水平梁軸直角方向に相対変位することができ、これにより各接合用切梁を介して接合された切梁に対して、プレロード(油圧ジャッキにより予め切梁に軸力を導入する)を行うことができる。また、切梁どうしを斜めに交差させることもできる。
【図面の簡単な説明】
【００２４】
【図１】井桁状に架設された切梁が交差する位置に設置された切梁用交差継手の斜視図である。
【図２】切梁用交差継手の斜視図である。
【図３】一対の継手用ハーフ切梁からなる一方の継手用交差切梁を図示したものであり、3(a)は組立後の正面図、図3(b)は組立前の正面図である。
【図４】一対の継手用ハーフ切梁からなる他方の継手用交差切梁を図示したものであり、図4(a)は組立後の正面図、図4(b)は組立前の正面図である。
【図５】切梁用交差継手を構成する継手用交差切梁の構造を示す一部斜視図である。
【図６】山留め壁および山留め壁の内側に仮設された山留め支保工の平面図である。
【図７】井桁状に仮設された切梁の交差する位置を示す斜視図である。
【図８】山留め壁の入り隅部を示す斜視図である。
【発明を実施するための形態】
【００２５】
図１〜図５は、本発明の一実施形態を図示したものであり、図において、井桁状(図６参照)に架設された各切梁１どうしの交差する位置に、切梁用交差継手２が設置され、当該切梁用交差継手２を介して切梁１どうしが互いに接合されている。
【００２６】
また、切梁用交差継手２の側部に支持杭(棚杭)３が立て付けられ、当該支持杭３に切梁用交差継手２を介して互いに接合された複数の切梁１がブラケット４を介して支持されている。切梁１と支持杭３にはＨ形鋼が用いられている。
【００２７】
切梁用交差継手２は、同一レベル(同一平面内)で互いに交差する一対の接合用切梁５と接合用切梁６とから平面略十字型状に構成されている。
【００２８】
接合用切梁５と６は、同一梁成、同一梁幅に形成され、かつ各切梁１とも同一梁成、同一梁幅に形成されている。
【００２９】
また、接合用切梁５と６は基本的に同一長さに形成され、接合用切梁５の梁軸方向の中央部分に、水平に貫通する開口部７が形成され、当該開口部７を接合用切梁６の中央部分が水平に貫通している。
【００３０】
また、接合用切梁６の梁軸方向の中央部分の上端部と下端部に凹溝部8,8が形成され、当該凹溝部8,8を開口部７の上下枠部7a,7aが貫通している。
【００３１】
開口部７は、接合用切梁５の梁軸方向に長辺を有する長方形状に形成され、その内法幅Ｌは接合用切梁６の梁幅よりやや広く形成されている。
【００３２】
また、凹溝部８は接合用切梁６の梁軸方向に長辺を有する長方形状に形成され、その溝幅Ｗは接合用切梁５の梁幅よりやや広く、かつ内法幅Ｌとほぼ同等幅に形成されている。
【００３３】
これにより、接合用切梁５と接合用切梁６は、それぞれ開口部７の内法幅Ｌおよび凹溝部８の溝幅Ｗの範囲で互いに拘束されることなく、水平梁軸方向および水平梁軸直角方向に相対変位することができる。
【００３４】
また、接合用切梁５と６を介してそれぞれ接合された各方向の切梁１に対して、プレロード工法(油圧ジャッキにより予め切梁に軸力を導入する)を行って軸力を導入することができ、また、切梁１どうしを斜めに交差させることもできる。
【００３５】
さらに、凹溝部８の深さＳは、開口部７の上下枠部7aの高さ(成)とほぼ同等の深さに形成され、これにより接合用切梁５と接合用切梁６の上端面はほぼ面一になるため、切梁１と切梁１の上側に架設される覆工桁(図省略)間に必要最小限の空きを設けるだけでよく、また、切梁１の上を移動等する作業員の障害になることもない。
【００３６】
また、接合用切梁５と６は、共に当該接合用切梁5,6の梁軸芯を通る水平面を境に接合用切梁５および６の上側部と下側部を形成する一対の継手用ハーフ切梁9,9を梁軸方向に添い合わせ、溶接または接合ボルト等によって一体的に接合することにより形成されている(図3,4参照)。
【００３７】
継手用ハーフ切梁９は、２本が対となって梁軸方向の中間部に接合用切梁５の開口部７と接合用切梁６の凹溝部８を形成する凹溝部８を有し、また、複数のプレートを溶接などによって接合しながら組み立てることにより一体的に形成されている。
【００３８】
特に、切梁１の少なくとも上下フランジ1a,1aおよびウェブ1bと対応する位置に水平プレート9aと垂直プレート9bを備え、また、梁軸方向の両端部に各切梁１の端部が接合されるエンドプレート9c,9cが取り付けられている(例えば、図2,5参照)。
【００３９】
そして、２本の継手用ハーフ切梁9,9を対として、凹溝部８を有する側を対向させて梁軸方向に添い合せ、溶接または複数の接合ボルトによって接合することにより接合用切梁５が形成されている。また、中間部の凹溝部8,8が重なり合うことにより開口部７が形成されている。
【００４０】
一方、２本の継手用ハーフ切梁9,9を、凹溝部８を有する側を外側に向けて梁軸方向に添い合せ、溶接または複数の接合ボルトによって接合することにより接合用切梁６が形成され、また、中間部の凹溝部８が凹溝部８になっている。
【００４１】
なお、継手用ハーフ切梁９の断面形状は、図５に図示する形状に限定されるものではない。
【産業上の利用可能性】
【００４２】
本発明は、山留め壁の内側に井桁状に架設される切梁どうしを同一レベルで接合することができ、また、各方向の切梁に対して、根切りに先行してプレロード工法を適用して軸力を導入することもできる。
【符号の説明】
【００４３】
１  切梁
1a  上下フランジ
1b  ウェブ
２  切梁用交差継手
３  支持杭(棚杭)
４  ブラケット
５  接合用切梁
６  接合用切梁
７  開口部
7a  上・下枠部
８  凹溝部
９  継手用ハーフ切梁
9a  水平プレート
9b  垂直プレート
【図１】
2019173335.tif 000003
【図２】
2019173335.tif 000004
【図３】
2019173335.tif 000005
【図４】
2019173335.tif 000006
【図５】
2019173335.tif 000007
【図６】
2019173335.tif 000008
【図７】
2019173335.tif 000009
【図８】
2019173335.tif 000010